(57)【要約】【課題】移動用電力ケーブルを接続する設備に予め設けた取付け対象物に対して、着脱、移動可能なブラケットを設けると共に、このブラケットに対して移動用電力ケーブルを任意の条件で取り付けることができるクランプを設けたので、少ないスペースに移動用電力ケーブルを取り付けることができ、相間距離や対地間距離を確保することができる。【解決手段】遮断器５０には各相ごとに遮断器本体７と碍子１０があり、夫々の碍子に電力線１が固定されている。また３つの遮断器本体を取り囲むように取付け対象物４がコンクリート台８により大地に固定され、その取付け対象物４により遮断器５０を保持している。移動用電力ケーブルの取付け装置１００は、取付け対象物４に移動用電力ケーブル９を固定するためのブラケット５と、ブラケット５の所定箇所に移動自在に取付け可能なクランプ６と、を備えて構成される。【選択図】図１
2007104882.tif 000002
【特許請求の範囲】
【請求項１】
発変電所の送電線設備を修理点検する際に、母線と送電線間をバイパスするために用いる移動用電力ケーブルの取付け装置において、
修理点検対象となる設備の近傍に装備された組み立て台に対して着脱されるブラケットと、該ブラケットの任意箇所に着脱自在に取付けられると共に前記移動用電力ケーブルを保持するクランプと、を備え、
前記移動用電力ケーブルを保持した前記クランプを前記ブラケットに取付ける際、前記移動用電力ケーブルと他相との相間距離、及び、移動用電力ケーブルの対地間距離を夫々適正値に設定することを可能としたことを特徴とする移動用電力ケーブルの取付け装置。
【請求項２】
前記クランプは、前記ブラケットに固定するブラケット固定手段と、前記移動用電力ケーブルを固定するケーブル固定手段と、前記ブラケット固定手段及びケーブル固定手段を相対回転自在に支持した回転支持部と、を備えたことを特徴とする請求項１に記載の移動用電力ケーブルの取付け装置。
【請求項３】
前記ブラケットは、その長手方向位置を変位させることができる可動ブラケットであることを特徴とする請求項１、又は２に記載の移動用電力ケーブルの取付け装置。
【請求項４】
前記各可動ブラケット間の位置関係を所定の位置に固定する位置固定手段を備えたことを特徴とする請求項３に記載の移動用電力ケーブルの取付け装置。
【発明の詳細な説明】
【技術分野】
【０００１】
本発明は、移動用電力ケーブル取付け装置に関し、さらに詳しくは、発電所、変電所などの送電線設備等を修理・点検する場合に用いる移動用電力ケーブルの取付け装置に関するものである。
【背景技術】
【０００２】
発電所、変電所に設置される各種設備、機器に係るトラブル対策等のための修理、点検作業に際して、移動用電力ケーブルを使用して一時的に電力のバイパス供給を行なう場合がある。移動用電力ケーブルを使用するに当たっては使用電圧により移動用電力の相間距離や、移動用ケーブルの対地間距離を適正値に確保する必要がある。例えば、６６ＫＶの高圧電圧を送電する変電所などでは、送電線と母線との間に、変圧器、断路器、しゃ断器、避雷器、調相設備などの各種設備、機器を設けているが、これらの設備、機器などに対して、更新、改造、修理或は点検等を実施する必要がある場合、送電線の通電を停止してしゃ断器を切にしなければならない。しかし、送電線を長時間停止することは顧客サービスや社会的な影響を考慮すると好ましいことではない。このため、通常、移動用電力ケーブルを利用してバイパス回路を作り仮送電設備によって送電している。
図４は特許文献１に開示されている従来の仮送電設備の構成を示す図である。送電線５１と６６ＫＶの母線５２との間に、回路を作る断路器５３及び電気を断接する遮断器５４を設け、遮断器５４の電力線を活線端子支柱５７に接続し、この活線端子支柱５７に母線５２を接続していた。また、バイパス回路を構成するため、断路器５３の近傍の床面に三脚脚立などの仮設備５５を設置し、この仮設備５５に６６ＫＶの移動用電力ケーブル５６を取付ける。この電力ケーブル５６は、断路器５３を介して送電線５１に接続される。一方、活線端子支柱５７には、木柱などで木台等の仮架台を組み込んで仮設備５８を作り、この仮設備５８に６６ＫＶの移動用電力ケーブル５９を取付け、更に、電力ケーブル５６と電力ケーブル５９との間には、図５に示すように、仮設断路器１１０及び仮設遮断器１１１を設けてバイパス回路６０を構成し、点検区域Ｘを点検するようにしていた。
【特許文献１】実用新案登録第３０３８０７３号
【発明の開示】
【発明が解決しようとする課題】
【０００３】
しかしながら、特許文献１に開示されている従来のこのバイパス回路の仮送電設備は、次のような課題を有している。 即ち、移動用電力ケーブル接続に際して、周辺スペース上の問題から専用架台が設置できない場合には、当該現場に適した特製の架台を新たに製作して設置しなければならず余分な経費が掛かり、且つ工事時間が長くなるといった問題がある。
また、移動用電力ケーブルを接続する際、設置スペース上の問題から専用架台が使用できず、その結果、移動用電力ケーブルの相間距離や対地間距離を確保できず、供給信頼度の点で問題が生じることがあった。
本発明はかかる課題に鑑みてなされたものであり、移動用電力ケーブルを接続して修理、点検を実施する対象となる設備に既存の取付け対象物を利用して、移動用電力ケーブルを任意の位置に、任意の設置条件で取付けることにより、少ない周辺スペースにも関わらず取付けが可能となり、且つ移動用電力ケーブルの相間距離や、移動用ケーブルの対地間距離を適切に確保することができる移動用電力ケーブル取付け装置を提供することを目的とする。
【課題を解決するための手段】
【０００４】
本発明はかかる課題を解決するために、請求項１は、発変電所の送電線設備を修理点検する際に、母線と送電線間をバイパスするために用いる移動用電力ケーブルの取付け装置において、修理点検対象となる設備の近傍に装備された組み立て台に対して着脱されるブラケットと、該ブラケットの任意箇所に着脱自在に取付けられると共に前記移動用電力ケーブルを保持するクランプと、を備え、前記移動用電力ケーブルを保持した前記クランプを前記ブラケットに取付ける際、前記移動用電力ケーブルの相間距離、及び、移動用電力ケーブルの対地間距離を夫々適正値に設定することを可能としたことを特徴とする。
本発明の移動用電力ケーブルの取付け装置においては、修理、点検対象となる設備、機器に既設の枠体の近傍に組み立て台を設置して、その組み立て台にブラケットを組み付け、このブラケットに対してクランプを着脱、移動自在に取付けて、このクランプにより移動用電力ケーブルを任意の高さ位置（設置条件）にて保持するようにしている。また、移動用電力ケーブルを取付ける場合には、移動用電力ケーブルを使用する電圧の高低に応じて所要距離だけ離間配置する必要がある。またそれと同時に移動用電力ケーブルと大地と間の距離も電圧に応じて所要距離だけ離間させる必要がある。本発明ではこれらの諸要請を一挙に、且つ簡易に実現するものである。
【０００５】
請求項２の発明は、請求項１において、前記クランプは、前記ブラケットに固定するブラケット固定手段と、前記移動用電力ケーブルを固定するケーブル固定手段と、前記ブラケット固定手段及びケーブル固定手段を相対回転自在に支持した回転支持部と、を備えたことを特徴とする。
本発明のクランプによれば、どのような設置条件を備えた修理点検対象設備（機器）であっても、そこに設けられている組み立て台に対して、移動用電力ケーブルを任意の位置に、任意の条件で取付けることが可能となり、且つ高電圧に対する安全性の要請から求められる離間距離に関する条件を満たすことも可能となる。具体的には、本発明のクランプは、組み立て台に対して縦、横、斜め等の任意の方向に延びるブラケットを任意の条件にて配設すると共に、ブラケットの任意の位置に着脱できるブラケット固定手段と、移動用電力ケーブルを保持するケーブル固定手段と、これらを回転自在に支持する回転支持部と、から成るものである。
請求項３の発明は、請求項１、又は２において、前記ブラケットは、その長手方向位置を変位させることができる可動ブラケットであることを特徴とする。
本発明ではＸＹ方向、その他の方向に自在に移動する可動ブラケットを使用し、何れかの可動ブラケットに移動用電力ケーブルを固定するものである。これにより、最適な位置に移動用電力ケーブルを進退移動自在に設定することができる。
請求項４は、請求項３において、前記各可動ブラケット間の位置関係を所定の位置に固定する位置固定手段を備えたことを特徴とする。
請求項３の方法で決定した移動用電力ケーブルの位置は、その後動かないように固定する必要がある。そこで本発明では、各可動ブラケットを夫々所定の位置に固定する位置固定手段を設けるものである。
【発明の効果】
【０００６】
請求項１の発明によれば、修理点検対象となる送電線設備近傍に設置した組み立て台の任意の箇所に配置するブラケットと、このブラケットの所定箇所に移動自在に取付け可能なクランプとを備えたので、移動用電力ケーブルの相間距離と対地間距離を電圧に応じて最適の距離だけ離間することができ、供給信頼度を確保することができる。
請求項２では、クランプを、ブラケットの任意の位置に取り付けられるブラケット固定手段と、移動用電力ケーブルを固定するケーブル固定手段と、それらを回転自在に支持する回転支持部と、から構成したので、移動用電力ケーブルの取付けに自由度が増し、工事の時間を短縮することができる。
請求項３では、任意の方向に移動自在に支持された可動ブラケットを使用し、可動ブラケットに移動用電力ケーブルを固定するので、最適な位置に移動用電力ケーブルを自在に設定することができる。
請求項４では、可動ブラケットを夫々所定の位置に固定する位置固定手段を設けるので、移動用電力ケーブルを安定して設定することができる。
【発明を実施するための最良の形態】
【０００７】
以下、本発明を図に示した実施形態に基づいて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る移動用電力ケーブルの取付け装置の構成を説明する図であり、図１（ａ）は正面図、図１（ｂ）は側面図である。ここでは、移動用電力ケーブルの取付け装置１００を、例えば、発電所、変電所等に設置される遮断器（修理点検対象）５０の近傍に設置する場合について説明する。遮断器５０には各相ごとに遮断器本体７と碍子１０が設けられており、夫々の碍子１０に電力線１が固定されている。また３つの遮断器本体７を取り囲むように枠体４がコンクリート台８により大地に固定され、枠体４により遮断器５０を保持している。その枠体４の近傍に組み立て台１１を設置する。
この組み立て台１１は、例えば、長尺な金属部材を縦横に組み付けることによって一体化したものであり、修理点検対象となる遮断器５０、その他の各種設備（機器）の外側面に予め既設されているものである。或いは、この組み立て台１１は、本発明の取付け装置１００を組み付けるために、新たに設置してもよい。
本発明の移動用電力ケーブルの取付け装置１００は、組み立て台１１に移動用電力ケーブル９を固定するために縦・横（或いは、斜め）方向に配設（固定）される棒状（例えば、パイプ状）のブラケット５と、各ブラケット５の任意の箇所に着脱可能な移動用電力ケーブル取付け用の金具であるクランプ６と、を備えて構成される。
尚、移動用電力ケーブル９は先端に取付け碍子３を備えており、説明の便宜上、碍子３を含めた全体を移動用電力ケーブル９と称する。
移動用電力ケーブル９は、図５で説明したバイパス回路を形成するために使用されるが、クランプ６に移動用電力ケーブル９を取付ける場合、移動用電力ケーブル９間の相間距離（Ｌ１）及び碍子３の先端からの対地間距離（Ｌ２）が、少なくとも使用する電圧の値に対応して定められた距離以上になるように移動用電力ケーブル９の取付け条件を選定する。この実施形態では、クランプ６をブラケット５の最上部に取付けた例を示したが、対地間距離（Ｌ２）が確保できれば何処であってもかまわない。
なお、この例では、移動用電力ケーブル９を各碍子１０に対して夫々接続することにより、三本の移動用電力ケーブル９を隣接配置する例を示したが、適切に確保することが可能となる。
【０００８】
図２は本発明の一実施形態に係るクランプの構成例を示す図であり、図２（ａ）は２つの締め付け金具を回転させない状態を表し、図２（ｂ）は一方の締め付け金具を９０度回転させた状態を表す図である。クランプ６は、ブラケット５に挿通した状態で固定されるＣ字状の締め付け金具（ブラケット固定手段）２２と、移動用電力ケーブル９に挿通した状態で固定されるＣ字状の締め付け金具（ケーブル固定手段）２４と、締め付け金具２２、２４の各頂部を貫通した状態で連結して両者を相対回転自在に支持する回転支持部２３と、各締め付け金具２２、２４の開口部２１側の端部間に挿通されて各開口部の間隔を調整するボルト２０と、を備えて構成される。この構成では、予め締め付け金具２２にブラケット５を挿通した状態で適所に位置決めした上でボルト２０により締め付けて仮止めしておく。次に移動用電力ケーブル９の適所、具体的には碍子３の適所を締め付け金具２４に挿入しボルト２０により締め付けて固定する。そして仮止めした締め付け金具２２をブラケット５上の正規の位置に移動させてボルト２０を締め付けて固定する。
このようにクランプ６を、ブラケット５側に固定する締め付け金具２２と、移動用電力ケーブル９を固定する締め付け金具２４と、それらを回転自在に支持する回転支持部２３と、から構成したので、移動用電力ケーブル９の取付けに自由度が増し、工事の時間を短縮することができる。
なお、上記例では、横枠としてのブラケット５にクランプ６を取付ける例を示したが、縦枠としてのブラケット５にクランプ６を取付けるようにしてもよい。この場合には、ブラケット５に対するクランプ６の上下方向位置を調整することにより、移動用電力ケーブルの高さ位置を任意に調整することができる。また、ブラケット５は、縦横以外の斜め方向等の任意の方向に設置することもできる。
【０００９】
図３は本発明の第２の実施形態に係る移動用電力ケーブルの取付け装置の一部分の構成を説明する図である。この移動用電力ケーブルの取付け装置５１は、既設の組み立て台１１に組み付けられてＸ軸方向（上下方向）に移動自在な可動ブラケット（Ｘ軸移動手段）３０と、Ｙ軸方向（横方向）に移動自在な可動ブラケット（Ｙ軸移動手段）３１と、を備え、可動ブラケット３１（又は、３０）に図２のクランプ６を備えたものである。そして可動ブラケット３０及び可動ブラケット３１に夫々所定の位置関係にて固定するボルト（位置固定手段）３３、３４を設ける。これにより、最適な位置に移動用電力ケーブル９を自在に設定することができると共に、移動用電力ケーブル９を安定して設定することができる。
クランプ６は、図２に示したのと同様に、可動ブラケット３０、３１に挿通した状態で固定されるＣ字状の締め付け金具（ブラケット固定手段）２２と、移動用電力ケーブル９に挿通した状態で固定されるＣ字状の締め付け金具（ケーブル固定手段）２４と、締め付け金具２２、２４の各頂部を貫通した状態で連結して両者を相対回転自在に支持する回転支持部２３と、各締め付け金具２２、２４の開口部２１側の端部間に挿通されて各開口部の間隔を調整するボルト２０と、を備えて構成される。
以上の通り、本発明の第１の実施形態によれば、修理点検対象の送電線設備近傍に設置した組み立て台に固定するブラケット５と、このブラケット５の所定箇所に移動自在に取付け可能なクランプ６とを備えたので、各移動用電力ケーブルの相間距離Ｌ１と対地間距離Ｌ２を、使用電圧の高低に応じて所定の適正距離だけ離間配置することができ、供給信頼度を確保することができる。
また、クランプを、ブラケット５側に固定する締め付け金具２２と移動用電力ケーブルを固定する締め付け金具２４とから構成し、それらを回転自在に支持する回転支持部２３を備えたので、移動用電力ケーブル９の取付けに自由度が増し、工事の時間を短縮することができる。
また、第２の実施形態ではＸＹ方向に自在に移動する構成を備え、可動ブラケット３１に移動用電力ケーブル９を固定するので、最適な位置に移動用電力ケーブル９を自在に設定することができる。
また、可動ブラケット３０、３１に夫々所定の位置に固定するボルト３３、３４を設けるので、移動用電力ケーブル９を安定して設定することができる。
【図面の簡単な説明】
【００１０】
【図１】本発明の第１の実施形態に係る移動用電力ケーブルの取付け装置の構成を説明する図である。
【図２】本発明の一実施形態に係るクランプの構成を示す図である。
【図３】本発明の第２の実施形態に係る移動用電力ケーブルの取付け装置の一部分の構成を説明する図である。
【図４】従来の仮送電設備の構成を示す図である。
【図５】従来のバイパス回路の構成を示す図である。
【符号の説明】
【００１１】
３、１０  碍子、４  枠体、５  ブラケット、６  クランプ、７  遮断器本体、８  コンクリート台、９  移動用電力ケーブル、１１  組み立て台、２０  ボルト、２１  隙間、２２、２４  締め付け金具、２３  回転支持部、５０  遮断器、１００  移動用電力ケーブルの取付け装置
【図１】
2007104882.tif 000003
【図２】
2007104882.tif 000004
【図３】
2007104882.tif 000005
【図４】
2007104882.tif 000006
【図５】
2007104882.tif 000007